(57)【要約】【課題】  ステータ側電極に対して移動側電極を移動させることによって信号を出力する構成の信号出力装置において、操作体によって前記移動側電極を移動させ移動範囲の端部に到った際に、操作体がその範囲を越えるのを規制する規制体に衝突した際、その衝突による衝撃を抑えて、装置全体に衝撃が発生することを目的とする。【解決手段】  信号出力装置１において、操作体５は移動側電極１０を移動操作するものであるが、操作体５が移動する範囲を規制する規制体１１，１２を備え、且つ、規制体１１，１２を、シリコーンゲル材料を含み、操作体５が衝突して来て衝撃が加えられると変形してその衝撃を吸収するように構成した。【選択図】  図３
2006100545.tif 000002
【特許請求の範囲】
【請求項１】
ステータ側電極と移動側電極を有し、前記ステータ側電極に対して一端から他端の範囲内で移動側電極が移動することによってその移動に対応した所定の信号を出力させる信号出力手段と、前記移動側電極に連結され、ステータ側電極に対する移動側電極の移動を操作する操作体と、その操作体を操作して移動側電極が移動範囲の一端及び他端の位置に到った際に、移動側電極がその範囲を越えて移動することを規制するように操作体の移動を範囲を規制する規制体が備えられ、
上記規制体は、シリコーンゲル材料を含んでなり、上記操作体が衝突して衝撃が加えられる際に変形してその衝撃を吸収するように構成されてなる信号出力装置。
【請求項２】
ステータ側電極と移動側電極の相対的な移動が、直線方向の移動或いは円弧状方向の移動である請求項１に記載の信号出力装置。
【発明の詳細な説明】
【技術分野】
【０００１】
この発明は、音量調節用のボリューム、回転式エンコーダ等のように、装置本体側に保持されたステータ側電極に対して移動側電極を移動させれることによってその移動の変位に対応する信号を出力する信号出力装置に関する。
特に、信号出力装置を操作する際、その操作によって生じる衝撃が、装置本体又は／及び他の機器に与える影響を回避するための改良に関する。
【背景技術】
【０００２】
ステータ側電極と移動側電極の二つの電極を備え、それら二つの電極を相対的に移動することによって信号を出力する装置は、下記の文献に示されている。
【０００３】
【特許文献１】特開２００１−１４８２２１号公報
【発明の開示】
【発明が解決しようとする課題】
【０００４】
特開２００１−１４８２２１号公報に示されたレコードプレーヤ装置には、操作パネルにスライド式スイッチ、つまり、操作パネルに組込まれた信号出力装置が開示されている（図４）。
同公報で開示されている発明のレコードプレーヤ装置は、スクラッチ演奏用の装置であって、スクラッチ演奏を行うことによって装置本体に衝撃が生じて針飛び等が起こり得るが、その衝撃が生じても演奏者が所定通りの演奏を行い得るように衝撃を回避するための発明が開示されている。
【０００５】
他方、スクラッチ演奏が可能なレコードプレーヤ装置は、通常、音声信号を加工するための手段・装置、所謂ミキサー装置と共に使用される。
しかし、今日では、演奏者のレコードプレーヤ装置及びミキサー装置の使い勝手のよい所定位置の固定化、特に、複数の信号出力装置の操作体の相対的な位置のセッティングの必要性、装置全体のコンパクト化等の理由から、ミキサー装置がレコードプレーヤ装置に組込まれて一体化された装置になっている。  
【０００６】
斯かる構成のレコードプレーヤ装置では、演奏中にミキサー手段を操作するために操作体を急激なスピードで操作して操作体の移動可能な範囲の端部で規制体に衝突すると、その衝突で衝撃が生じ、時にはレコード盤の演奏中の部位からピックアップ手段がズレてしまって、所謂、針飛びが生じ、所定通りの演奏が得られないという問題がある。
又、レコードプレーヤ装置とミキサー装置が別体の構成であっても、両装置を隣接させて使用する場合にも、衝撃が隣接部位から伝わって来て同様な問題が生じる。
【０００７】
尚、ミキサー手段を操作する操作体を緩やかなスピードで静かに操作する場合は、斯かる問題は生じない。しかしながら、操作体を緩やかなスピードで静かな動きで操作したのでは、演奏者が所望しているようなスクラッチ演奏が得られないという問題が生じる。
【０００８】
特開２００１−１４８２２１号公報に示されたレコードプレーヤ装置では、スクラッチ演奏によって生じる衝撃が脚体を介して装置本体に伝わって生じて針飛び等に対しては効果が認められる。
しかしながら、ミキサー手段をレコードプレーヤ装置に組込んで一体化させた装置、或いは、ミキサー装置とレコードプレーヤ装置を隣接させて使用する場合において、演奏者である操作者が操作体を操作することによって生じる衝撃はレコードプレーヤ装置本体に生じるから、針飛び等の問題は解決されないまま残ることになる。
【０００９】
尚、レコードプレーヤ装置の本体にミキサー手段を組込み、そのミキサー手段を操作することによって、つまり、信号出力の操作を行うことによって操作体がその移動範囲の端部に配設されたストッパ（規制体）に衝突して衝撃が生じ、その衝撃によって所定通りの演奏を得ることができないことに関しては、単にレコードプレーヤ装置のみならず、操作スイッチ等を有する精密測定装置等についても同様なことを言うことができる。
【００１０】
この発明は、上記の事情に鑑みてなされたものであって、所望の信号出力を行うために操作体を移動操作させている際にその操作体が移動可能な範囲の端部に到った場合、操作体がその端部を越えて移動することを規制し、且つ、その規制を行うことによって操作体の移動で衝突は生じても衝撃が生じることがなく、結果的に装置全体に衝撃が発生することのなく、他に衝撃の影響を与えることのない信号出力装置を提供するものである。
【課題を解決するための手段】
【００１１】
この発明は、操作体の移動の範囲を規制する規制体を、シリコーンゲル材料を含み、前記操作体が衝突して衝撃を加えた際には変形してその衝撃を吸収するように構成させてなる信号出力装置である。
【００１２】
その詳細な構成は、ステータ側電極と移動側電極を有し、一端から他端の範囲内で前記ステータ側電極に対して移動側電極が移動することによってその移動に対応した所定の信号を出力させる信号出力手段と、前記移動側電極に連結され、ステータ側電極に対する移動側電極の移動を操作する操作体と、その操作体を操作して移動側電極が移動範囲の一端及び他端の位置に到った際に、移動側電極がその範囲を越えて移動することを規制するように操作体の移動を範囲を規制する規制体が備えられ、
上記規制体は、シリコーンゲル材料を含んでなり、上記操作体が衝突して衝撃が加えられる際に変形してその衝撃を吸収するように構成されてなる信号出力装置である。
【００１３】
ここで、ステータ側電極と移動側電極の相対的な移動とは具体的には、移動側電極がステータ側電極に対して直線方向に移動する場合と移動側電極がステータ側電極に対して円弧状方向に移動する場合が挙げられる。
【００１４】
又、ステータ電極と移動側電極を備えて構成される信号出力手段とは具体的に、スライド式エンコーダ、ロータリエンコーダ、ボリューム、ＯＮ−ＯＦＦスイッチ等が挙げられる。
【００１５】
他方、シリコーンゲル材料とは、有機ケイ素化合物を科学的処理によって鎖状高分子に作られたシリコーンを主材としたゲル状物質であって、反発力や復元力のコントロールが可能であるというゲルの特性に基づき、粘弾性が極めて高く衝撃や外力が加わるとその衝撃等を三次元的に分散し、結果的に衝撃吸収・振動吸収・圧力分散の性質が高いことから防振特性、減衰特性が優れたものを指す。
又、シリコーンゲル材料は具体的なものとして、αゲル、βゲル、γゲル、θゲル等が挙げられる。
【発明の効果】
【００１６】
この発明は、操作体の移動可能な範囲を規制する規制体を備え、且つ、その規制体をシリコーンゲル材料を含み、上記操作体が衝突して衝撃が加えられる際に変形してその衝撃を吸収するように構成したことにより、操作者が信号を出力させるように操作体を操作移動させ、操作体の移動可能な範囲を越えようとして規制体に衝突しても、その規制体に対する操作体の衝突によって衝撃が生じ難く、装置全体に衝撃が生じ難いことから本発明装置を含んで構成される機器、装置等に対しても衝撃を与え難く、よって、例えば、レコードプレーヤ装置に組込んで使用する或いはレコードプレーヤ装置と隣接して使用する場合において、操作体の操作移動によって衝撃が発生してレコードプレーヤ装置に針飛びを生じさせるといったことが生じ難いように、結果的に衝撃による不具合を生じさせ難い信号出力装置である。
【発明を実施するための最良の形態】
【００１７】
この発明を、図１〜図４に示す実施の形態例に基づき詳述する。しかし、この実施の形態例によって、この発明が限定されるものではない。
信号出力装置１及び信号出力装置５１は、図１及び図４に示すように、レコードプレーヤ装置１０１に組込まれている。
そこで、最初にレコードプレーヤ装置１０１について説明を行う。
【００１８】
レコードプレーヤ装置１０１は、図１及び図４に示すように、装置本体１０２と、レコード盤（図示省略）を載置して回転駆動するための回転駆動手段１０３と、回転駆動手段１０３に載置されて回転されているレコード盤と相対的に移動し、摺動によってレコード盤から音声信号をピックアップするピックアップ手段１０４と、装置本体１０２の上面に配設された操作パネル１０５が備えられている。
【００１９】
レコードプレーヤ装置１０１は、加えて、スライド操作式の音量調節手段である信号出力装置１と、回転駆動手段１０３の回転の速さを制御するピッチコントローラである信号出力装置５１が備えられている。
【００２０】
信号出力装置１は、図１〜図４に示すように、レコードプレーヤ装置１０１の操作パネル１０５に組込まれており、ベース２と、ケーシング３と、信号出力手段４と、操作体５と、ガイド部材６，７と、操作用つまみ８が備えられている。
【００２１】
ベース２は、レコードプレーヤ装置１０１の装置本体１０２に取付けるためのものである。
ケーシング３は、ガイド部材６，７を平行な状態にして内蔵保持している。
ケーシング３には、信号出力手段４が内蔵されている。
【００２２】
信号出力手段４は、ケーシング３に取付け固定されているステータ側電極９と、棒状のガイド部材６，７に支持され且つガイド部材６，７の伸長方向（矢印Ａ方向）にスライド可能な移動側電極１０と、ステータ側電極９に対する移動側電極１０の位置或いは移動によって対応する信号を出力する電子回路部（図示省略）を含んで構成されている。
【００２３】
更に、信号出力手段４は、操作者が操作用つまみ８を操作して移動側電極１０をガイド部材６，７に沿ってスライドさせた際、移動側電極１０がスライド可能な範囲の両端のいずれかに到ると、そのスライド可能な範囲を越えてスライドすることを規制する規制体１１，１２が備えられている。
規制体１１，１２は、ほぼ円錐形に中央部でビス孔が形成された、所謂ドーナツ形状であってガイド部材６の端部でガイド部材６に枢支されるようにしてケーシング３に付設されている。    
【００２４】
規制体１１，１２は、シリコーンゲル材料を含んでなり、操作体５がガイド部材６に沿ってスライドしてスライド可能な範囲を越えようとすると衝突することになるが、その衝突では自らが変形して衝突によって生じる衝撃を吸収するように作用するものである。
【００２５】
尚、ここで言うシリコーンゲル材料とは、有機ケイ素化合物を科学的処理によって鎖状高分子に作られたシリコーンを主材としたゲル状物質であって、反発力や復元力のコントロールが可能であるというゲルの特性に基づき、粘弾性が極めて高く衝撃や外力が加わるとその衝撃等を三次元的に分散し、結果的に衝撃吸収・振動吸収・圧力分散の性質が高いことから防振特性、減衰特性が優れたものを指す。
又、シリコーンゲル材料は具体的なものとして、αゲル、βゲル、γゲル、θゲル等が挙げられる。
【００２６】
信号出力装置５１は、図１及び図４に示すように、レコードプレーヤ装置１０１の装置本体１０２に組込まれており、本体ケーシングに内蔵されたステータ側電極（図示省略）に対して移動側電極（図示省略）を有するロータリーエンコーダを具備して構成される信号出力手段５４と、信号出力手段５４の入力軸６３と一体化されたプーリ体５２と、回転駆動手段１０３と同軸状態で枢支されている操作体５５と、操作体５５からの回転力をプーリ体５２に伝えるベルト部材５７と、操作体５５の端部に取付けられた操作用つまみ５８と、操作体５５の操作方向（矢印Ｂ方向）を案内するための円弧状で装置本体１０２の上面に形成された案内スリット部５６が備えられている。
【００２７】
信号出力手段５４は、レコードプレーヤ装置１０１の装置本体１０２の内部に配設されている。
信号出力手段５４は上述したように、上記ステータ側電極と、入力軸６３の側に配設されて正逆両方向に回転可能な上記移動側電極と、電気回路部（図示省略）等が備えられ、入力軸６３の回転によって前記移動側電極が前記ステータ側電極に対して回転するとその回転に対応して信号を発生するものである。
【００２８】
尚、レコードプレーヤ装置１０１では、演奏者が操作体５５を操作することによって信号出力手段５４から信号を出力させ、その信号に基づいて回転駆動手段１０３の回転の速度、所謂ピッチが制御される構成になっている。
つまり、信号出力装置５１はレコードプレーヤ装置１０１にとっては、回転駆動手段１０３のピッチコントローラとして機能するものである。  
【００２９】
更に、信号出力手段５４は、操作者が操作体５５を操作して案内スリット部５６に沿って円弧状に移動させた際、操作体５５がその移動可能な範囲の両端のいずれかに到ると、そのスライド可能な範囲を越えて回転移動することを規制する規制体６１，６２が備えられている。
規制体６１，６２は、ほぼ円錐形に中心でビス孔が形成された、所謂ドーナツ形状であって、レコードプレーヤ装置１０１の装置本体１０２にビス止めされている。
【００３０】
規制体６１，６２は、シリコーンゲル材料を含んでなり、操作体５５が案内スリット部５６に沿ってスライドしてスライド可能な範囲を越えようとすると衝突することになるが、その衝突では自らが変形して衝突によって生じる衝撃を吸収するように作用するものである。
【００３１】
尚、ここで言うシリコーンゲル材料とは、上述したと同様に、有機ケイ素化合物を科学的処理によって鎖状高分子に作られたシリコーンを主材としたゲル状物質であって、反発力や復元力のコントロールが可能であるというゲルの特性に基づき、粘弾性が極めて高く衝撃や外力が加わるとその衝撃等を三次元的に分散し、結果的に衝撃吸収・振動吸収・圧力分散の性質が高いことから防振特性、減衰特性が優れたものを指す。
又、シリコーンゲル材料は具体的なものとして、αゲル、βゲル、γゲル、θゲル等が挙げられる。
【００３２】
信号出力装置１，５１及びレコードプレーヤ装置１０１は、上述したように構成されている。以下において、信号出力装置１，５１及びレコードプレーヤ装置１０１の機能を説明する。
【００３３】
操作者（演奏者）は、レコードプレーヤ装置１０１の操作パネル１０５を操作して、まずメイン電源をＯＮにし、続いて、レコードプレーヤ装置１０１の演奏のスタートが可能な状態に各手段をセットする。
ここで、信号出力装置１，５１もスタンバイの状態になる。
【００３４】
演奏者は、所望のレコード盤を回転駆動手段１０３のターンテーブル（図示省略）に載置し、回転駆動手段１０３を出力させる。
ここで、回転駆動手段１０３に載置されている上記レコード盤は回転を始めるが、レコード盤の音溝（図示省略）においてピックアップ手段１０４と相対的に摺動し、その音溝から音声信号がピックアップされる。
【００３５】
この演奏の際に、演奏者が上記レコード盤からピックアップしている音声信号の大きさを変えて、スピーカからの最終の音声に大小の変化を加えるように、音声信号出力のコントローラである信号出力装置１を操作する。
この操作の際、演奏者は音声信号の大きさの変化を急激に行うように、操作用つまみ８を素早くスライド操作する。
【００３６】
ここで、信号出力手段４は、移動側電極１０がステータ側電極９に対して矢印Ａ方向にスライドして制御用の信号が出力され、結果的に、ピックアップ手段１０４からの音声信号の大きさが制御される。
又、この操作を行った際に、スライド操作の勢いが十分過ぎて操作体５が規制体１１又は１２に衝突する場合がある。
【００３７】
この時、規制体１１，１２は通常の材料で作られていたならば、操作体５からの衝突によって衝撃が生じ、その衝撃は規制体を付設しているケーシング３を介してレコードプレーヤ装置１０１の装置本体１０２に伝わり、更に、その衝撃がピックアップ手段１０４のピックアップ・アーム（図示省略）に伝わってレコード盤との摺動の状態が途切れる、所謂針飛び状態が生じる場合が考えられる。
【００３８】
しかしながら、規制体１１，１２は、シリコーンゲル材料を含んで構成されており、操作体５が衝突して来ると、その衝突に対して自らが変形して衝突によって生じる衝撃を吸収するように作用する。
従って、操作体５が規制体１１，１２に衝突しても、この衝突で生じる筈の衝撃は規制体１１，１２によって吸収され、衝撃は殆ど生じることはない。
よって、前記衝突によって衝撃が生じ、その衝撃がケーシング３、レコードプレーヤ装置１０１の装置本体１０２、ピックアップ手段１０４へと伝わるとい事態は極めて生じ難い。
【００３９】
つまり、操作体５が規制体１１又は１２に衝突しても、ピックアップ手段１０４に衝撃は加わらないからピックアップ手段１０４のレコード盤への摺動状態は保持され、針飛びなどの演奏者の予期しない事態が生じることは殆どない。
【００４０】
次に、信号出力装置５１の操作について説明する。
演奏者はレコードプレーヤ装置１０１を使用してレコード盤の演奏をしている際に、スクラッチ演奏法の一つとして、レコード盤の回転の速さを変える、所謂ピッチのコントロールを行う。
この操作の際、演奏者は所望によってレコード盤の回転の速さを急激に変えるように、操作用つまみ５８を素早く円弧を描くように操作して、操作体スライド操作する。
【００４１】
ここで、演奏者の操作による操作体５５の円弧状の移動は、ベルト部材５７、プーリ体５２を介して信号出力装置５１の入力軸６３への回転運動として伝わり、入力軸６３と一体化している上記移動側電極は上記ステータ側電極に対して回転し回転駆動手段１０３の回転ピッチをコントロールするための信号を信号出力手段５１が出力する。
【００４２】
他方、演奏者が操作体５５を円弧状の移動操作している際に、その操作の勢いが十分過ぎて操作体５５が規制体６１又は６２に衝突する場合が考えられる。
ここで、規制体６１，６２は、シリコーンゲル材料を含んで構成されていることにより、操作体５５が衝突して来たことに対して自らが変形して衝突によって生じる衝撃を吸収するように作用する。
【００４３】
従って、操作体５５が規制体６１，６２に衝突しても、この衝突で生じる筈の衝撃は規制体６１，６２によって吸収され、結果的にピックアップ手段１０４へと伝わることがない。
よって、操作体５５が規制体６１又は６２に衝突しても、ピックアップ手段１０４に衝撃は加わらないからピックアップ手段１０４のレコード盤への摺動状態は保持され、針飛びなどの演奏者の予期しない事態は生じることはない。ここで、演奏者は、レコードプレーヤ装置１０１の演奏操作を所望通りに続けることが出来る。
【００４４】
規制体１１，１２及び６１，６２はドーナツ形状であるが、配設される部位の形状、ケーシングに対しての保持される仕方、操作体との衝突の仕方等によって、形状と大きさを適宜選択するのがよい。
又、操作体５及び５５に対してそれぞれ規制体１１，１２及び６１，６２が対応する構成、つまり、操作体の移動可能な範囲の端部に各一個の規制体を備えた構成になっているが、操作体からの衝撃をより一層やわらげるために、規制体の配設位置の確保等に基づいて、操作体の移動可能な範囲の端部に二個以上の規制体を備えた構成であってもよい。
【００４５】
信号出力手段４，５４は、ステータ側電極に対して移動側電極移動することによって信号が出力するものであるが、例えばその出力信号が微弱の場合にはアンプを付加するなどのように、信号として取出し易くするための手段を適宜付加することが望ましい。
【図面の簡単な説明】
【００４６】
【図１】この発明の二つの実施の形態例を含むレコードプレーヤ装置の構成を説明する構成説明斜視図である。
【図２】図１に示す第一の実施の形態例の構成を説明する一部切欠きを含む構成説明斜視図である。
【図３】この発明の第一の実施の形態例の構成を説明する一部切欠きを含む正面図である。
【図４】図１に示す第二の実施の形態例の構成を説明する構成説明斜視図である。
【符号の説明】
【００４７】
１，５１                  ：信号出力装置
３                        ：ケーシング
４，５４                  ：信号出力手段
５，５５                  ：操作体
８，５８                  ：操作用つまみ
９                        ：ステータ側電極
１０                      ：移動側電極
１１，１２，６１，６２    ：規制体
１０１                    ：レコードプレーヤ装置
１０３                    ：回転駆動手段
１０４                    ：ピックアップ手段
【図１】
2006100545.tif 000003
【図２】
2006100545.tif 000004
【図３】
2006100545.tif 000005
【図４】
2006100545.tif 000006